(57)【要約】【課題】掌によって安定して保持することができる握持性の優れたリール脚固定装置を備える釣竿の提供を目的としている。【解決手段】本発明の一実施形態に係る釣竿では、リール脚固定装置１０の本体部１４に、その表面の起伏によって形成され且つ第１および第２の側面２２，２３をそれぞれ起点Ｐとして移動フード１２ａ側から固定フード１２ｂ側へ向けて延びる一対の稜線Ｌ１，Ｌ２が設けられ、これらの稜線Ｌ１，Ｌ２が、第１および第２の各側面２２，２３からベース面２４へと固定フード１２ｂを越えて互いに近づくように延びてベース面２４上でほぼ合流している。【選択図】    図２
2010004859.tif 000002
【特許請求の範囲】
【請求項１】
魚釣用リールの脚部が載置されるリール脚載置部と、前記リール脚載置部に載置されたリールの脚部を固定する一対の固定フードおよび移動フードとを有する本体部を備え、前記本体部が、前記リール脚載置部を形成するリール脚載置面と、リール脚載置面の両側に位置する第１および第２の側面と、前記リール脚載置面と反対側に位置し且つ前記第１および第２の側面同士を繋ぐベース面とを有するリール脚固定装置を備える釣竿において、
前記本体部は、その表面の起伏によって形成され且つ前記第１および第２の側面をそれぞれ起点として前記移動フード側から前記固定フード側へ向けて延びる一対の稜線を有し、これらの稜線は、第１および第２の各側面から前記ベース面へと互いに近づくように延び、前記ベース面上でほぼ合流することを特徴とする釣竿。
【請求項２】
前記各稜線の前記起点間の幅が前記本体部の最大幅に等しいことを特徴とする請求項１に記載の釣竿。
【請求項３】
前記各稜線は、リールの脚部が挿入される前記固定フードの開口部を越えて延びていることを特徴とする請求項１または請求項２に記載の釣竿。
【請求項４】
前記本体部は、
２つの前記各稜線が第１および第２の側面上で延びる区間において前記稜線間に位置する前記本体部の表面によって画定される幅広領域と、
２つの前記各稜線がいずれも前記ベース面上で延びる区間において前記稜線間に位置する前記本体部の表面によって画定される幅狭領域と、
を有することを特徴とする請求項１ないし請求項３のいずれか１項に記載の釣竿。
【請求項５】
前記本体部の第１および第２の側面の中央部は、本体部の長手方向の軸心へ向けて凹状に窪んでいることを特徴とする請求項１ないし請求項４のいずれか１項に記載の釣竿。
【発明の詳細な説明】
【技術分野】
【０００１】
本発明は、釣竿に関し、特に、スピニングリール等の魚釣用リールを装着した際の釣竿操作が行ない易いリール脚固定装置を備えた釣竿に関する。
【背景技術】
【０００２】
従来、釣竿の基端側には、スピニングリール等の魚釣用リール（より正確には、リールの脚部；以下、リール脚という）が装着可能なリール脚固定装置が設けられている。このようなリール脚固定装置は、例えば、元竿となる釣竿本体（元竿管）の外周面に嵌着される筒状のものであり、リール脚を受け入れる一対のフード部を備えている。この場合、一方のフード部（後方側（手元側）に設けられる固定フード）にリール脚の一端を固定し、その状態で他方のフード部（前方側（穂先側）に設けられる移動フード）をリール脚の他端へ向けて軸方向に移動させることで、両フード間でリール脚を挟持固定（したがって、釣竿に対してリールを装着固定）するようになっている。
【０００３】
ルアーロッドをはじめとするこのようなリール脚固定装置付きの釣竿においては、リール脚固定装置にリールを装着し、その状態で釣竿を小刻みに動かすシェイキング動作や釣竿をゆっくりと動かす誘い動作などを行なう場合、例えば、リール脚固定装置のリール脚載置面と反対側に位置する握持ベース面を掌に収めた状態でリール脚固定装置を竿管と共にしっかりと握り込む必要がある。その場合、通常、握持ベース面に沿って人差し指を延ばして載置し且つ親指と中指とでリール脚固定装置の側面を挟み込んだ状態でリール脚固定装置を握持する。
【０００４】
また、このようなシェイキング動作や誘い動作を的確に行なうためには、リール脚固定装置の握持性が安定且つ良好に確保されることが望まれる。そのため、従来から、例えばリール脚固定装置の本体の側部に釣竿の軸心側に窪む凹部を設けるなど（例えば、特許文献１参照）、リール脚固定装置の外形に工夫がなされている。
【特許文献１】実開平６−１５４６６号
【発明の開示】
【発明が解決しようとする課題】
【０００５】
しかしながら、前記特許文献１を含む従来のリール脚固定装置では、シェイキング動作や誘い動作時等において掌が当て付く握持ベース面の部位は、一般に、リール脚固定装置の略円形断面の円弧と略同様の曲率の円弧を成して幅広く延びているため、リール脚固定装置を握持した際（図８に示されるように、握持ベース面に沿って人差し指１０６を延ばして載置し且つ親指１０８と中指１１０とでリール脚固定装置の側面を挟み込んだ状態）に掌にできる互いに隣り合う２つの膨出部分１００，１０２（図８参照）同士の間の谷間１０４とリール脚固定装置の握持ベース面との間に比較的大きな隙間ができてしまい、リール脚固定装置を強固に握り込むことが難しい。そのため、シェイキング動作や誘い動作時に、掌に対してリール脚固定装置が滑ったり周方向に回転するなどして、リール脚固定装置の安定した握持ができなくなる場合がある。
【０００６】
本発明は、前記事情に着目してなされたものであり、その目的とするところは、掌によって安定して保持することができる握持性の優れたリール脚固定装置を備える釣竿を提供することにある。
【課題を解決するための手段】
【０００７】
前記課題を解決するために、本発明は、魚釣用リールの脚部が載置されるリール脚載置部と、前記リール脚載置部に載置されたリールの脚部を固定する一対の固定フードおよび移動フードとを有する本体部を備え、前記本体部が、前記リール脚載置部を形成するリール脚載置面と、リール脚載置面の両側に位置する第１および第２の側面と、前記リール脚載置面と反対側に位置し且つ前記第１および第２の側面同士を繋ぐベース面とを有するリール脚固定装置を備える釣竿において、前記本体部は、その表面の起伏によって形成され且つ前記第１および第２の側面をそれぞれ起点として前記移動フード側から前記固定フード側へ向けて延びる一対の稜線を有し、これらの稜線は、第１および第２の各側面から前記ベース面へと互いに近づくように延び、前記ベース面上でほぼ合流することを特徴とする。
【０００８】
上記構成では、前記各稜線の前記起点間の幅が前記本体部の最大幅に等しくても良い。また、前記各稜線は、リールの脚部が挿入される前記固定フードの開口部を越えて延びていても良い。また、前記本体部は、２つの前記各稜線が第１および第２の側面上で延びる区間において前記稜線間に位置する前記本体部の表面によって画定される幅広領域と、２つの前記各稜線がいずれも前記ベース面上で延びる区間において前記稜線間に位置する前記本体部の表面によって画定される幅狭領域とを有していても良く、その場合、前記幅狭領域は、リール脚固定装置を握持する掌にできる互いに隣り合う２つの膨出部分同士の間の谷間内に収まるように形成されていることが好ましい。ここで、リール脚固定装置を握持する掌にできる２つの膨出部分とは、掌上で親指付け根の柔らかくふっくらしたいわゆる拇指球と称される部分（例えば手相学上で言う「金星丘」）と、この拇指球に隣接する部分（例えば手相学上で言う「月丘」）のことである。
【０００９】
また、上記構成において、前記本体部の第１および第２の側面の中央部は、本体部の長手方向の軸心へ向けて凹状に窪んでいても良い。
【発明の効果】
【００１０】
本発明によれば、リール脚固定装置の本体部に、その表面の起伏によって形成され且つ第１および第２の側面をそれぞれ起点として移動フード側から固定フード側へ向けて延びる一対の稜線が設けられ、これらの稜線が、第１および第２の各側面から前記ベース面へと互いに近づくように延びてベース面上でほぼ合流するため、２つの前記各稜線が第１および第２の側面上で延びる区間には、稜線間に位置する本体部の表面によって幅広領域が画定され、一方、２つの各稜線がいずれもベース面上で延びる区間には、稜線間に位置する本体部の表面によって幅狭領域が画定される。その結果、リール脚固定装置を握持する（特に、図６および図８に示されるように、握持ベース面に沿って人差し指１０６を延ばして載置し且つ親指１０８と中指１１０とでリール脚固定装置の側面を挟み込んだ状態の）手の握持面にうまく適合する形状をリール脚固定装置の本体部の長手方向に沿って実現することができ（握った掌に握り部の形状が沿うようになり、また、稜線に指が良好に引っ掛かるようになり）、特に、リール脚固定装置を握持する掌にできる互いに隣り合う２つの膨出部分（図８の１００，１０２参照）同士の間の谷間内に前記幅狭領域を収めることでリール脚固定装置を強固に握り込むことができ、シェイキング動作や誘い動作時に、掌によりリール脚固定装置を安定して握持することができる。すなわち、掌によって安定して保持することができる握持性の優れたリール脚固定装置を備える釣竿を提供することができる。
【発明を実施するための最良の形態】
【００１１】
以下、図面を参照しながら本発明に係る釣竿の一実施形態について説明する。  
図１に示されるように、本実施形態に係る釣竿１は、魚釣用リール（スピニングリール）５０の脚部５２（以下、リール脚という）を着脱可能にする筒状のリール脚固定装置１０を装着した元竿３と、元竿３に対して継合される先竿４とを備えた２本継ぎとして構成されている。この場合、両竿部材の継合は、振り出し式に構成されていても良いし、並継式に構成されていても良い。また、各竿部材の継合本数は任意であり、竿部材の構造についても、管状体に構成されていても良いし、中実状に構成されていても良い。更に、竿部材を構成する素材については、例えば、強化繊維に合成樹脂を含浸したプリプレグシート等を用いることが可能である。
【００１２】
竿部材（先竿４）には、複数の釣糸ガイド（外ガイド）５が設けられており、リール脚固定装置１０に装着されたリール５０から繰出される釣糸を案内するようになっている。また、元竿３には、必要に応じて、リール脚固定装置１０の前後にグリップが設けられていても良い。
【００１３】
図２〜図５に明確に示されるように、リール脚固定装置１０は筒状の本体部１４を備えており、本体部１４には、リール脚５２が載置されるリール脚載置部１１と、その前後に対向して配置され且つリール脚５２を受け入れる開口を有する一対のフード部１２ａ，１２ｂとが設けられている（一方のフード１２ｂは本体部１４に形成されている）。この本体部１４は、例えば、ナイロン、ＡＢＳ等の硬質合成樹脂部材や、アルミ、ＳＵＳ、チタン等の金属等によって一体形成されており、元竿３の外周面に接着剤を塗布した後、嵌入することで、元竿３に一体的に固定される。
【００１４】
また、一対のフード部の内、穂先側のフード部１２ａは移動フードとして構成され、後端側のフード部１２ｂは固定フードとして構成されている（以下、移動フード１２ａ、固定フード１２ｂと称する）。このようなリール脚固定装置１０は、公知のように、本体部１４の外周面に刻設された雄ネジ部１４ａに対して回転操作部１６を回転操作することで（回転操作部１６の内面には雌ネジが形成されている）、移動フード１２ａを固定フード１２ｂに対して軸方向に接近／離間させ、リール５０のリール脚５２を締め付け固定したり、取り外しできるよう構成されている。
【００１５】
図４に明確に示されるように、リール脚固定装置１０の本体部１４は、元竿３が挿通される内孔２０と、軽量化を図るための肉抜き孔２１とを有している。また、図２〜図５にそれぞれ示されるように、リール脚固定装置１０の本体部１４は、リール脚載置部１１を形成するリール脚載置面４２（図２および図５の（ｄ）等参照）と、リール脚載置面４２の両側に位置する第１および第２の側面２２，２３と、リール脚載置面４２と反対側に位置し且つ第１および第２の側面２２，２３同士を繋ぐベース面２４とを有している。
【００１６】
また、本体部１４は、その表面の起伏によって形成される一対の稜線Ｌ１，Ｌ２を有している。これらの稜線Ｌ１，Ｌ２は、本体部１４の長手方向軸心に対して左右対称に位置されており、第１および第２の側面２２，２３をそれぞれ起点として移動フード１２ａ側から固定フード１２ｂ側へ向けて延びている。本実施形態において、各稜線Ｌ１，Ｌ２の起点Ｐは、移動フード１２ａの手元側への移動限界を規定する本体部１４のストッパ面２５（移動フード１２ａと当接可能な面）の側縁に位置しており、この起点Ｐから第１および第２の各側面２２，２３に沿ってベース面２４へ向けて延びるとともに、リール脚５２が挿入される固定フード１２ｂの開口部３１を越えて互いに近づくように延び、ベース面２４上でほぼ合流している（本実施形態では、図３および図５に示されるように、本体部１４のほぼ手元端に位置するベース面２４上の合流部Ｑで稜線Ｌ１，Ｌ２同士が合流している）。なお、稜線Ｌ１，Ｌ２の描く明確な軌跡は、図２の（ｂ）および図６を参照されたい。
【００１７】
そして、このように一対の稜線Ｌ１，Ｌ２が延びることにより、図３に示されるように、２つの各稜線Ｌ１，Ｌ２が第１および第２の側面２２，２３上で延びる区間Ｘには、稜線間Ｌ１，Ｌ２に位置する本体部１４の表面によって幅広領域Ｓ１が画定され、また、２つの各稜線Ｌ１，Ｌ２がいずれもベース面２４上で延びる区間Ｙには、稜線Ｌ１，Ｌ２間に位置する本体部１４の表面によって幅狭領域Ｓ２が画定される。本実施形態では、幅広領域Ｓ１の前端、具体的には各稜線Ｌ１，Ｌ２の起点Ｐ，Ｐ間の幅Ｗが長手方向および上下方向（図４の断面における上下方向）の両方に関して本体部１４の最大幅に等しく設定されている。つまり、言い換えると、本体部１４は、先端側において図４の（ａ）に示されるようにその幅(側面２２，２３間の幅)が下側に向かって（リール脚５２に向かって）狭くなるとともに、図３に示されるように手元側に向かってベース面２４の幅が狭くなっている。
【００１８】
また、特に、本実施形態において、幅狭領域Ｓ２（とりわけ、幅狭領域Ｓ２の手元側部分）は、図７に示されるようにリール脚固定装置１０を握持する掌にできる互いに隣り合う２つの膨出部分１００，１０２同士の間の谷間１０４内に収まるように形成されている。ここで、リール脚固定装置を握持する掌にできる２つの膨出部分とは、特に図６および図８に示されるようにベース面２４に沿って人差し指１０６を延ばして載置し且つ親指１０８と中指１１０とでリール脚固定装置１０の側面２２，２３を挟み込んだ状態で、掌上で親指付け根の柔らかくふっくらしたいわゆる拇指球と称される部分（例えば手相学上で言う「金星丘」）１００と、この拇指球１００に隣接する部分（例えば手相学上で言う「月丘」）１０２のことである。
【００１９】
なお、本実施形態において、本体部１４の第１および第２の側面２２，２３の略中央部には、本体部１４の長手方向軸心へ向けて凹状に窪むくびれ部４０が左右対称に設けられている。
【００２０】
以上説明したように、本実施形態では、リール脚固定装置１０の本体部１４に、その表面の起伏によって形成され且つ第１および第２の側面２２，２３をそれぞれ起点Ｐとして移動フード１２ａ側から固定フード１２ｂ側へ向けて延びる一対の稜線Ｌ１，Ｌ２が設けられ、これらの稜線Ｌ１，Ｌ２が、第１および第２の各側面２２，２３からベース面２４へと固定フード１２ｂを越えて互いに近づくように延びてベース面２４上でほぼ合流するため、２つの各稜線Ｌ１，Ｌ２が第１および第２の側面２２，２３上で延びる区間Ｘには、稜線Ｌ１，Ｌ２間に位置する本体部１４の表面によって幅広領域Ｓ１が画定され、一方、２つの各稜線Ｌ１，Ｌ２がいずれもベース面２４上で延びる区間Ｙには、稜線Ｌ１，Ｌ２間に位置する本体部１４の表面によって幅狭領域Ｓ２が画定される。その結果、リール脚固定装置１０を握持する（特に、図６に示されるように、握持ベース面に沿って人差し指１０６を延ばして載置し且つ親指１０８と中指１１０とでリール脚固定装置１０の側面２２，２３を挟み込んだ状態の）手の握持面にうまく適合する形状をリール脚固定装置１０の本体部１４の長手方向に沿って実現することができ（握った掌に握り部の形状が沿うようになり、また、稜線に指が良好に引っ掛かるようになり）、特に、図７に示されるようにリール脚固定装置１０を握持する掌にできる互いに隣り合う２つの膨出部分１００，１０２同士の間の谷間１０４内に幅狭領域Ｓ２を収めることでリール脚固定装置１０を強固に握り込むことができ、シェイキング動作や誘い動作時に、掌によりリール脚固定装置１０を安定して握持することができる。
また、本実施形態では、各稜線Ｌ１，Ｌ２の起点Ｐ，Ｐ間の幅Ｗが長手方向および上下方向の両方に関して本体部１４の最大幅に等しくなっている。すなわち、前述したように、本体部１４は、先端側において図４の（ａ）に示されるようにその幅(側面２２，２３間の幅)が下側に向かって（リール脚５２に向かって）狭くなるとともに、図３に示されるように手元側に向かってベース面２４の幅が狭くなっている。そのため、図６に示されるような握持状態では、長手方向先端側のベース面２４の最大幅周辺領域において人差し指１０６を比較的広い範囲にわたってベース面２４上に安定して載置することができるとともに、リール脚固定装置１０の側面２２，２３を挟み込む親指１０８および中指１１０が稜線Ｌ１，Ｌ２に引っ掛かって上方にすり抜けることがなく、側方においても安定した握持力を保持することができ、全体として十分且つ安定な握持性を確保することができる。
また、本実施形態において、各稜線Ｌ１，Ｌ２は、リール脚５２が挿入される固定フード１２ｂの開口部３１を越えて長く延びている。そのため、図６の握持状態においては、幅狭領域Ｓ２の形状および位置が、同様にして長手方向に幅狭となる掌の谷間１０４の形状および位置とほぼ合致し、谷間１０４内に幅狭領域Ｓ２を確実に収めることが可能となり、握持力の向上に寄与し得る。
また、本実施形態において、本体部１４は、２つの各稜線Ｌ１，Ｌ２が第１および第２の側面２２，２３上で延びる区間において稜線Ｌ１，Ｌ２間に位置する本体部１４の表面によって画定される幅広領域Ｓ１と、２つの各稜線Ｌ１，Ｌ２がいずれもベース面２４上で延びる区間において稜線Ｌ１，Ｌ２間に位置する本体部１４の表面によって画定される幅狭領域Ｓ２とを有している。このように、長手方向の先端側に幅広領域Ｓ１を有していれば人差し指１０６を比較的広い範囲にわたってベース面２４上に安定して載置することができ、一方、長手方向の手元側に幅狭領域Ｓ２を有していれば、幅狭領域Ｓ２の位置が掌の谷間１０４の位置とほぼ適合し、谷間１０４内に幅狭領域Ｓ２を確実に収めることが可能となり、握持力の向上に寄与し得る。
また、本実施形態では、幅狭領域Ｓ２が、リール脚固定装置１０を握持する掌にできる互いに隣り合う２つの膨出部分１００，１０２同士の間の谷間１０４内に収まるように形成されているため、十分且つ安定した握持性を確保できる。
また、本実施形態では、本体部１４の第１および第２の側面２２，２３の中央部に、本体部の長手方向の軸心へ向けて凹状に窪むくびれ部４０が左右対称に設けられているため、リール脚固定装置１０の側面２２，２３を親指１０８および中指１１０によって安定的に挟み込むことができる。
【図面の簡単な説明】
【００２１】
【図１】本発明の一実施形態に係る釣竿の側面図である。
【図２】（ａ）は本発明の一実施形態に係るリール脚固定装置の側断面図、（ｂ）はリール脚固定装置の側面図である。
【図３】本発明の一実施形態に係るリール脚固定装置の背面図（本体部のベース面側の平面図）である。
【図４】（ａ）は図２の（ａ）のＡ−Ａ線に沿う断面図、（ｂ）は図２の（ａ）のＢ−Ｂ線に沿う断面図、（ｃ）は図２の（ａ）のＣ−Ｃ線に沿う断面図、（ｄ）は図２の（ａ）のＤ−Ｄ線に沿う断面図である。
【図５】（ａ）は本発明の一実施形態に係るリール脚固定装置の本体部の正面図、（ｂ）はリール脚固定装置の本体部のベース面側の平面図、（ｃ）は本体部の側面図、（ｄ）は本体部のリール脚載置面側の平面図である。
【図６】リール脚固定装置を右手で握持した状態を示す平面図である。
【図７】リール脚固定装置を右手で握持した状態を示す背面図である。
【図８】リール脚固定装置を握持する際の右手の掌の状態を示す斜視図である。
【符号の説明】
【００２２】
１  釣竿
１０  リール脚載置部
１２ａ  移動フード
１２ｂ  固定フード
１４  本体部
２２，２３  側面
２４  ベース面
３１  開口部
４２  リール脚載置面
５０  魚釣用リール
５２  脚部
Ｌ１，Ｌ２  稜線
Ｐ  起点
Ｓ１  幅広領域
Ｓ２  幅狭領域
【図１】
2010004859.tif 000003
【図２】
2010004859.tif 000004
【図３】
2010004859.tif 000005
【図４】
2010004859.tif 000006
【図５】
2010004859.tif 000007
【図６】
2010004859.tif 000008
【図７】
2010004859.tif 000009
【図８】
2010004859.tif 000010